(57)【要約】【課題】携帯電話機による通話中の感情を表現して、通話者同士間のコミュニケーションをより豊かにする。【解決手段】携帯電話機１にファン１５を設ける。自身の音声レベルがしきい値より大きい場合に、通話相手の携帯電話機１のファン１５を駆動するファン駆動要求を通話相手の携帯電話機１に送信する。また、通話相手の携帯電話機１から送信されたファン駆動コマンドにより自身のファン１５を駆動する。これにより、相手の感情を容易に理解でき、通話者間のコミュニケーションを豊かにすることができる。【選択図】　　　　　図１
2004135224.tif 000002
【特許請求の範囲】
【請求項１】
携帯電話機において、
送風手段を備えたことを特徴とする携帯電話機。
【請求項２】
話者の音声を解析する話者音声解析手段と、
該話者音声解析手段による解析結果に基づいて、通話相手の携帯電話機の送風手段を動作させる動作要求を、前記通話相手の携帯電話機に送信する動作要求手段とをさらに備えたことを特徴とする請求項１記載の携帯電話機。
【請求項３】
前記話者音声解析手段は、前記音声のレベルを検出する手段であり、
前記動作要求手段は、前記話者の音声のレベルが所定のしきい値より大きいときに前記動作要求を前記通話相手の携帯電話機に送信する手段であることを特徴とする請求項２記載の携帯電話機。
【請求項４】
前記話者音声解析手段は、前記話者の音声に含まれる所定のキーワードを検出する手段であり、
前記動作要求手段は、前記所定のキーワードが検出されたときに前記動作要求を前記通話相手の携帯電話機に送信する手段であることを特徴とする請求項２または３記載の携帯電話機。
【請求項５】
通話相手の音声を解析する音声解析手段と、
該音声解析手段による解析結果に基づいて、前記送風手段を動作させる動作手段とを備えたことを特徴とする請求項１から４のいずれか１項記載の携帯電話機。
【請求項６】
前記音声解析手段は、前記通話相手の音声のレベルを検出する手段であり、
前記動作手段は、前記音声のレベルが所定のしきい値より大きいときに前記送風手段を動作させる手段であることを特徴とする請求項５記載の携帯電話機。
【請求項７】
前記音声解析手段は、前記通話相手の音声に含まれる所定のキーワードを検出する手段であり、
前記動作手段は、前記所定のキーワードが検出されたときに前記送風手段を動作させる手段であることを特徴とする請求項５または６記載の携帯電話機。
【発明の詳細な説明】
【０００１】
【発明の属する技術分野】
本発明は、携帯電話機に関するものである。
【０００２】
【従来の技術】
近年、携帯電話が急激に普及する背景において、ユーザは、本来の通話機能の他、電子メールの送受信や、ゲーム、インターネットへのアクセス、ネットショッピング等、様々な形態で携帯電話を利用するようになっている。これらの多種多彩の利用形態に応じて、携帯電話機の機能も充実し、バイブレータ付きの携帯電話機はもとより、カメラ付き、ＧＰＳ機能付きの携帯電話機もテレビコマーシャル等で話題を呼んでいる。
【０００３】
しかしながら、いくら機能が充実したとはいえ、携帯電話機の原点は人間同士間のコミュニケーションを取らせるところにある。人間同士のコミュニケーションは一般的には五感で行われているため、コミュニケーションをより確かなものにするためには、携帯電話機の場合にも、聴覚（通話）に限らず、五感を活用したコミュニケーションができることが望まれる。そのため、携帯電話機の機能を利用して、人間同士のコミュニケーションをより豊かにする様々な試みが行われている。
【０００４】
例えば、視覚によるコミュニケーションを可能にする例としてカメラ付きの携帯電話機を挙げることができる。携帯電話機に付属のカメラを利用して被写体を撮影して得た画像を他の携帯電話機に送信することによって視覚によるコミュニケーションが可能である。
【０００５】
また、通話相手の生年月日を登録しておき、通話相手のバイオリズムを表示するようにした携帯電話機が提案されている（特許文献１参照）。特許文献１に記載の発明によれば、通話相手のバイオリズムを参照して通話相手のそのときの調子や相性が分かるため、相性が悪い日には連絡を取らないようにする等して適切なコミュニケーションを図ることができる。
【０００６】
【特許文献１】
特開２００１−５３８４１号公報
【０００７】
【発明が解決しようとする課題】
しかしながら、上記特許文献１に記載された発明においては、通話相手の調子や相性が分かるものの、通話相手の感情は通話相手の声のみでしか判断できないため、通話中における通話相手の感情を的確に把握することは困難であった。また、携帯電話機のユーザ自身の感情を的確に通話相手に伝えることも困難であった。
【０００８】
一方、真夏に外出先において携帯電話機を使用することは、非常に暑いものである。この場合、冷房が利いている建物の中に移動して電話をすることが考えられる。しかしながら、建物の中は携帯電話機の使用が禁止されていたり、また携帯電話機の使用が禁止されていなくても、長時間の通話は周りの人に迷惑がかかる。
【０００９】
本発明は上記事情に鑑みなされたものであり、真夏であっても快適に携帯電話機を使用できるようにすることを目的とする。
【００１０】
また、携帯電話機による通話中の感情を表現して、通話者同士間のコミュニケーションをより豊かにすることを他の目的とする。
【００１１】
【課題を解決するための手段】
本発明による携帯電話機は、送風手段を備えたことを特徴とするものである。
【００１２】
「送風手段」としては、携帯電話機に搭載可能な小型のファンのみならず、冷却機能を備えたファン等を用いることができる。
【００１３】
なお、本発明による携帯電話機においては、話者の音声を解析する話者音声解析手段と、
該話者音声解析手段による解析結果に基づいて、通話相手の携帯電話機の送風手段を動作させる動作要求を、前記通話相手の携帯電話機に送信する動作要求手段とをさらに備えるようにしてもよい。
【００１４】
この場合、前記話者音声解析手段を、前記音声のレベルを検出する手段とし、前記動作要求手段を、前記話者の音声のレベルが所定のしきい値より大きいときに前記動作要求を前記通話相手の携帯電話機に送信する手段としてもよい。
【００１５】
「所定のしきい値」は、ユーザによって設定されるものであってもよく、携帯電話機の出荷時等に予め設定された値であってもよい。出荷時に予め設定されたしきい値が、ユーザによってカスタマイズできることが好ましい。さらに、話者音声解析手段により検出された音声レベルの平均値を算出して、この平均値に所定の音声レベル値を上乗せて得た値を所定のしきい値としてもよい。
【００１６】
また、この場合、前記話者音声解析手段を、前記話者の音声に含まれる所定のキーワードを検出する手段とし、
前記動作要求手段を、前記所定のキーワードが検出されたときに前記動作要求を前記通話相手の携帯電話機に送信する手段としてもよい。
【００１７】
また、本発明による携帯電話機においては、通話相手の音声を解析する音声解析手段と、
該音声解析手段による解析結果に基づいて、前記送風手段を動作させる動作手段とを備えるようにしてもよい。
【００１８】
この場合、前記音声解析手段を、前記通話相手の音声のレベルを検出する手段とし、
前記動作手段を、前記音声のレベルが所定のしきい値より大きいときに前記送風手段を動作させる手段としてもよい。
【００１９】
また、この場合、前記音声解析手段を、前記通話相手の音声に含まれる所定のキーワードを検出する手段とし、
前記動作手段を、前記所定のキーワードが検出されたときに前記送風手段を動作させる手段としてもよい。
【００２０】
【発明の効果】
本発明による携帯電話機は送風手段を備えているため、送風手段を動作させれば送風がなされる。したがって、暑いときでも携帯電話機を快適に使用することができる。
【００２１】
また、怒りや喜びのように感情の変化に応じて変化する通話相手の音声を解析し、解析結果に基づいて送風手段を動作させることにより、通話相手の感情を的確に把握することができる。また、携帯電話機を使用するユーザ自身の音声を解析し、解析結果に基づいて通話相手の携帯電話機が有する送風手段を動作させる動作要求を通話相手の携帯電話機に送信することにより、ユーザ自身の感情を的確に通話相手に伝えることができる。したがって、通話相手の顔が見えなくても携帯電話機を用いて適切なコミュニケーションを図ることができる。
【００２２】
なお、音声のレベルはとくに感情の変化により大きくなることが多いため、通話相手または話者の音声のレベルを検出し、検出した音声のレベルが所定のしきい値より大きいときに送風手段を動作させたり、通話相手の携帯電話機の送風手段の動作要求を送信することにより、より容易に通話相手に自信の感情を伝えたり、通話相手の感情を把握することができる。
【００２３】
また、怒りや喜び等の感情を表現する際には、「むかつく」、「うれしい」、「さむい」、「さむー」等のキーワードを使用することが多い。また、通話中にあまり言ってほしくない言葉がある場合もある。このため、通話相手または話者の音声に含まれる所定のキーワードを検出し、所定のキーワードが検出されたときに送風手段を動作させたり、通話相手の携帯電話機の送風手段の動作要求を送信することにより、より容易に通話相手に自信の感情を伝えたり、通話相手の感情を把握することができる。
【００２４】
【発明の実施の形態】
以下図面を参照して本発明の実施形態について説明する。図１は本発明の第１の実施形態による携帯電話機を用いた携帯電話システムの構成を示す概略ブロック図である。図１に示すように、本発明の第１の実施形態による携帯電話システムは、携帯電話機１と、携帯電話機１同士の通信（通話を含む）を中継する基地局１００とからなる。携帯電話機１と基地局１００とは携帯電話通信網１０１を介して接続されている。なお、図１においては、携帯電話機１はその構成を詳細に示すために、一部が携帯電話機１の内部構造を示すものとなっている。
【００２５】
図１に示すように、携帯電話機１は、液晶モニタ１１と、数字キー等からなる操作ボタン１２と、音声を発するスピーカ１３と、音声を集音するマイク１４と、２つのファン１５とを備える。なお、ファン１５は携帯電話機１の内部に配設されており、外観上はスリット１６が見えるのみである。
【００２６】
図２は第１の実施形態による携帯電話機の内部構成を示す概略ブロック図である。図２に示すように、携帯電話機１は通信を行うための通信部１８と、液晶モニタ１１、操作ボタン１２、スピーカ１３、マイク１４およびファン１５の動作を制御する制御部２とを備える。なお、通信部１８も制御部２により制御される。
【００２７】
ファン１５は、不図示のモータにより駆動される。ファン１５の駆動は制御部２により行われる。
【００２８】
制御部２は、音声レベル監視部２１と、音声レベルしきい値計算部２２と、ファン１５を駆動するファン駆動制御部２３と、ファン駆動要求出力部２４とを備える。
【００２９】
音声レベル監視部２１は、携帯電話機１のユーザが話す声の音声レベルを監視して、音声レベルしきい値計算部２２およびファン駆動要求出力部２４に出力する。
【００３０】
音声レベルしきい値計算部２２は、音声レベル監視部２１により監視された音声レベルの所定時間当たりの平均値を計算し、この平均値に所定の値（以下αとする）を加算して音声レベルしきい値（以下しきい値Ｔｈ１という）を算出する。
【００３１】
ファン駆動制御部２３は、通話中において通信部１８を介して受信した基地局１００からのファン駆動コマンドに応じてファン１５を動作させる。
【００３２】
ファン駆動要求出力部２４は、音声レベル監視部２１により監視された音声レベルが音声レベルしきい値計算部２２により算出されたしきい値Ｔｈ１より大きい場合に、通話中の相手の携帯電話機１のファン１５を動作させる要求（ファン駆動要求）を通信部１８に出力して、基地局１００に送信する。
【００３３】
基地局１００は、携帯電話機１同士の通信を中継するとともに、通話中のいずれかの携帯電話機１からの「ファン駆動要求」を受信したとき、その携帯電話機１の通話先の携帯電話機１にファン駆動コマンドを送信するファン駆動コマンド送信手段を有するものである。
【００３４】
次いで、本実施形態の動作について説明する。図３は、第１の実施形態において行われる処理を示すフローチャートである。図３に示すように、制御部２は通話中に２つの動作を並行して行う。
【００３５】
ステップＳ１においては、通信部１８を介してファン駆動コマンドを受信したか否かを判定し、ステップＳ１が肯定されると、ファン駆動制御部２３がファン駆動コマンドに基づいてファン１５を駆動する（ステップＳ２）。
【００３６】
一方、音声レベル監視部２１は、携帯電話機１のユーザが話す声の音声レベルを監視し続けるとともに、監視した音声レベルの値を音声レベルしきい値計算部２２およびファン駆動要求出力部２４に出力する（ステップＳ１１）。音声レベルしきい値計算部２２は、音声レベル監視部２１から送信された音声レベルの平均値を計算し（ステップＳ１２）、この平均値にαを加算して音声レベルしきい値Ｔｈ１としてファン駆動要求出力部２４に出力する（ステップＳ１３）。
【００３７】
ファン駆動要求出力部２４は、音声レベル監視部２１から送信された音声レベルが、音声レベルしきい値計算部２２から送信された音声レベルしきい値Ｔｈ１より大きいか否かを判定し（ステップＳ１４）、ステップＳ１４が肯定されると、音声レベルしきい値計算部２２に今まで計算してきた音声レベルの平均値およびしきい値Ｔｈ１をクリアさせるとともに（ステップＳ１５）、通信部１８を介して基地局１００に通話先の携帯電話機１のファン１５を動作させるファン駆動要求を送信する（ステップＳ１６）。
【００３８】
ステップＳ１が否定された場合、およびステップＳ１６に続いて通話が終了したか否かが判定され（ステップＳ３）、ステップＳ３が否定されるとステップＳ１およびステップＳ１１に戻る。ステップＳ３が肯定されると、処理を終了する。
【００３９】
なお、基地局１００は、通話中のいずれかの携帯電話機１からファン駆動要求が送信されてきたときに、この携帯電話機１の通話先の携帯電話機１にファン駆動コマンドを送信するように動作する。
【００４０】
このように、第１の実施形態においては、携帯電話機１の通話者の音声のレベルを検出し、検出した音声のレベルがしきい値Ｔｈ１より大きいときに、通話相手の携帯電話機１のファン１５を駆動させるファン駆動要求を送信して通話相手の携帯電話機１のファン１５を駆動させるようにしたため、自身の感情を的確に通話相手に伝えることができる。したがって、通話相手の顔が見えなくても通話相手に自身の感情を把握させることができ、これにより、携帯電話機１を用いて適切なコミュニケーションを図ることができる。
【００４１】
また、通話相手の携帯電話機１から送信されたファン駆動コマンドに基づいて、自身の携帯電話機１のファン１５を駆動させるようにしたため、通話相手の感情を容易に把握することができる。
【００４２】
次いで、本発明の第２の実施形態について説明する。図４は本発明の第２の実施形態による携帯電話機の内部構成を示す概略ブロック図である。なお、第２の実施形態において第１の実施形態と同一の構成については同一の参照番号を付し、詳細な説明は省略する。第２の実施形態においては、第１の実施形態における通話者の音声レベルを監視する音声レベル監視部２１に代えて、通話相手の音声レベルを監視する音声レベル監視部２８を備えるとともに、ファン駆動要求出力部２４を有さない点が第１の実施形態と異なる。
【００４３】
第２の実施形態においては、音声レベル監視部２８は、通話相手が話す声の音声レベルを監視して、音声レベルしきい値計算部２２に出力する。
【００４４】
音声レベルしきい値計算部２２は、音声レベル監視部２８により監視された音声レベルの所定時間当たりの平均値を計算し、この平均値に所定の値αを加算して音声レベルしきい値（以下しきい値Ｔｈ２とする）を算出する。
【００４５】
ファン駆動制御部２３は、音声レベル監視部２８により監視された音声レベルが音声レベルしきい値計算部２２により算出されたしきい値Ｔｈ２より大きい場合に、自身の携帯電話機１のファン１５を動作させる。
【００４６】
次いで、第２の実施形態の動作について説明する。図５は、第２の実施形態において行われる処理を示すフローチャートである。
【００４７】
音声レベル監視部２８は、通話相手が話す声の音声レベルを監視し続けるとともに、監視した音声レベルの値を音声レベルしきい値計算部２２およびファン駆動制御部２３に出力する（ステップＳ２１）。音声レベルしきい値計算部２２は、音声レベル監視部２８から送信された音声レベルの平均値を計算し（ステップＳ２２）、この平均値にαを加算して音声レベルしきい値Ｔｈ２としてファン駆動制御部２３に出力する（ステップＳ２３）。
【００４８】
ファン駆動制御部２３は、音声レベル監視部２８から送信された音声レベルが、音声レベルしきい値計算部２２から送信された音声レベルしきい値Ｔｈ２より大きいか否かを判定し（ステップＳ２４）、ステップＳ２４が肯定されると、音声レベルしきい値計算部２２に今まで計算してきた音声レベルの平均値およびしきい値Ｔｈ２をクリアさせるとともに（ステップＳ２５）、ファン１５を駆動させる（ステップＳ２６）。
【００４９】
ステップＳ２６に続いて通話が終了したか否かが判定され（ステップＳ２７）、ステップＳ２７が否定されるとステップＳ２１に戻る。ステップＳ２７が肯定されると、処理を終了する。
【００５０】
このように、第２の実施形態においては、携帯電話機１の通話相手の音声のレベルを検出し、検出した音声のレベルがしきい値Ｔｈ２より大きいときに、自身の携帯電話機１のファン１５を駆動させるようにしたため、相手の感情を的確に把握することができ、これにより、携帯電話機１を用いて適切なコミュニケーションを図ることができる。
【００５１】
なお、上記第１および第２の実施形態においては、音声レベルしきい値計算部２２において、しきい値Ｔｈ１，Ｔｈ２を計算して求めているが、予め定められたしきい値を用いるようにしてもよい。この場合、音声レベルしきい値計算部２２は不要となる。
【００５２】
また、しきい値Ｔｈ１，Ｔｈ２を携帯電話機１のユーザが変更できるようにしてもよい。これにより、通話相手やユーザ自身の声が大きい場合に、常にファン１５が駆動されてしまうことを防止できる。
【００５３】
次いで、本発明の第３の実施形態について説明する。図６は本発明の第３の実施形態による携帯電話機の内部構成を示す概略ブロック図である。なお、第３の実施形態において第１の実施形態と同一の構成については同一の参照番号を付し、詳細な説明は省略する。第３の実施形態においては、第１の実施形態における制御部２に代えて、通話中に通話者が予め定めた所定のキーワードを発したか否かを監視するキーワード監視部３１と、ファン駆動要求出力部３３と、ファン１５を駆動するファン駆動制御部３４とを有する制御部３を備える。
【００５４】
キーワード監視部３１は、携帯電話機１のユーザが話す声の言葉に所定のキーワードが含まれるか否かを監視して、所定のキーワードが含まれる場合に検出信号をファン駆動要求出力部３４に出力する。
【００５５】
所定のキーワードとしては、「むかつく」、「うれしい」、「さむい」、「さむー」等の感情を表現する言葉や、あまり聞きたくないようなギャグを用いることができる。所定のキーワードは予め操作ボタン１２から入力して携帯電話機１のメモリ（不図示）に記憶しておけばよい。
【００５６】
ファン駆動制御部３３は、通話中において通信部１８を介して受信した基地局１００からのファン駆動コマンドに応じてファン１５を動作させる。
【００５７】
ファン駆動要求出力部３４は、キーワード監視部３１から検出信号が出力されると、通話中の相手の携帯電話機１のファン１５を動作させる要求（ファン駆動要求）を通信部１８に出力して、基地局１００に送信する。
【００５８】
基地局１００は、携帯電話機１同士の通信を中継するとともに、通話中のいずれかの携帯電話機１からの「ファン駆動要求」を受信したとき、その携帯電話機１の通話先の携帯電話機１にファン駆動コマンドを送信するファン駆動コマンド送信手段を有するものである。
【００５９】
次いで、第３の実施形態の動作について説明する。図７は第３の実施形態において行われる処理を示すフローチャートである。
【００６０】
ステップＳ３１においては、通信部１８を介してファン駆動コマンドを受信したか否かを判定し、ステップＳ３１が肯定されると、ファン駆動制御部３３がファン駆動コマンドに基づいてファン１５を駆動する（ステップＳ３２）。
【００６１】
一方、キーワード監視部３１は、携帯電話機１のユーザが話す声の言葉に所定のキーワードが含まれるか否かを監視し続けるとともに（ステップＳ４１）、所定のキーワードが含まれてステップＳ４１が肯定されると検出信号をファン駆動要求出力部３４に出力する（ステップＳ４２）。
【００６２】
ファン駆動要求出力部３４は、検出信号が入力されると、通信部１８を介して基地局１００に通話先の携帯電話機１のファン１５を動作させるファン駆動要求を送信する（ステップＳ４３）。
【００６３】
ステップＳ３１が否定された場合、およびステップＳ４３に続いて通話が終了したか否かが判定され（ステップＳ３３）、ステップＳ３３が否定されるとステップＳ３１およびステップＳ４１に戻る。ステップＳ３３が肯定されると、処理を終了する。
【００６４】
なお、基地局１００は、通話中のいずれかの携帯電話機１からファン駆動要求が送信されてきたときに、この携帯電話機１の通話先の携帯電話機１にファン駆動コマンドを送信するように動作する。
【００６５】
このように、第３の実施形態においては、携帯電話機１の通話者の発した言葉に所定のキーワードが含まれている場合に、通話相手の携帯電話機１のファン１５を駆動させるファン駆動コマンドを送信するようにしたため、自身が発した言葉による自身の感情を的確に通話相手に伝えることができる。したがって、通話相手の顔が見えなくても通話相手に自身の感情を把握させることができ、これにより、携帯電話機１を用いて適切なコミュニケーションを図ることができる。
【００６６】
また、通話相手の携帯電話機１から送信されたファン駆動コマンドに基づいて、自身の携帯電話機１のファン１５を駆動させるようにしたため、通話相手の感情を容易に把握することができる。
【００６７】
次いで、本発明の第４の実施形態について説明する。図８は本発明の第４の実施形態による携帯電話機の内部構成を示す概略ブロック図である。なお、第４の実施形態において第３の実施形態と同一の構成については同一の参照番号を付し、詳細な説明は省略する。第４の実施形態においては、第３の実施形態における通話者が発した言葉に所定のキーワードが含まれているか否かを監視するキーワード監視部３１に代えて、通話相手が発した言葉に所定のキーワードが含まれているか否かを監視するキーワード監視部３８を備え、ファン駆動要求出力部３４を有さない点が第３の実施形態と異なる。
【００６８】
第４の実施形態においては、キーワード監視部３８は、通話相手が発した言葉に所定のキーワードが含まれているか否かを監視して、所定のキーワードが含まれている場合に検出信号をファン駆動制御部３３に出力する。
【００６９】
ファン駆動制御部３３は、キーワード監視部３８から検出信号が出力されると、自身の携帯電話機１のファン１５を動作させる。
【００７０】
次いで、第４の実施形態の動作について説明する。図９は第４の実施形態において行われる処理を示すフローチャートである。
【００７１】
キーワード監視部３８は、通話相手が話す言葉に所定のキーワードが含まれるか否かを監視し続けるとともに（ステップＳ５１）、所定のキーワードが含まれてステップＳ５１が肯定されると検出信号をファン駆動制御部３３に出力する（ステップＳ５２）。ファン駆動制御部３３は、ファン１５を駆動させる（ステップＳ５３）。
【００７２】
ステップＳ５３に続いて通話が終了したか否かが判定され（ステップＳ５４）、ステップＳ５４が否定されるとステップＳ５１に戻る。ステップＳ５４が肯定されると、処理を終了する。
【００７３】
このように、第４の実施形態においては、携帯電話機１の通話相手が発した言葉に所定のキーワードが含まれるか否かを検出し、所定のキーワードが含まれる場合に自身の携帯電話機１のファン１５を駆動させるようにしたため、相手の感情を的確に把握することができ、これにより、携帯電話機１を用いて適切なコミュニケーションを図ることができる。
【００７４】
なお、上記第１および第２の実施形態においては自身または通話相手の音声レベルを、第３および第４の実施形態においては自身または通話相手が発した言葉に含まれる所定のキーワードを検出して自身または通話相手の携帯電話機１のファン１５を駆動しているが、図１０に示す第５の実施形態による携帯電話機のように、第１の実施形態における携帯電話機１の制御部（ここでは第１の実施形態と区別するために′を付す）２′に、第３の実施形態におけるキーワード監視部３１を設けてもよい。この場合、通話相手の携帯電話機１のファン１５を駆動するファン駆動要求は、自身の音声レベルが所定のしきい値Ｔｈ１より大きいとき、および所定のキーワードを発したときの双方の場合に行われる。なお、音声レベル監視部２１およびキーワード監視部３１の駆動を操作ボタン１２により切り替え可能としてもよい。
【００７５】
また、同様に、第２の実施形態における携帯電話機１の制御部に第４の実施形態におけるキーワード監視部３８を設けてもよい。この場合、自身のファン１５は、通話相手の音声レベルが所定のしきい値Ｔｈ２より大きいとき、および通話相手が所定のキーワードを発したときの双方の場合に行われる。なお、音声レベル監視部２８およびキーワード監視部３８の駆動を操作ボタン１２により切り替え可能としてもよい。
【００７６】
また、上記第１および第２の実施形態においては自身または通話相手の音声レベルを、第３および第４の実施形態においては自身または通話相手が発した言葉に含まれる所定のキーワードを検出して自身または相手のファン１５を駆動しているが、操作ボタン１２の操作によりファン１５を駆動するようにしてもよい。これにより、暑いときでも携帯電話機１を快適に使用することができる。
【図面の簡単な説明】
【図１】本発明の第１の実施形態による携帯電話機を用いた携帯電話システムの構成を示す概略ブロック図
【図２】第１の実施形態による携帯電話機の内部構成を示す概略ブロック図
【図３】第１の実施形態において行われる処理を示すフローチャート
【図４】第２の実施形態による携帯電話機の内部構成を示す概略ブロック図
【図５】第２の実施形態において行われる処理を示すフローチャート
【図６】第３の実施形態による携帯電話機の内部構成を示す概略ブロック図
【図７】第３の実施形態において行われる処理を示すフローチャート
【図８】第４の実施形態による携帯電話機の内部構成を示す概略ブロック図
【図９】第４の実施形態において行われる処理を示すフローチャート
【図１０】第５の実施形態による携帯電話機の内部構成を示す概略ブロック図
【符号の説明】
１　　携帯電話機
２，２′，３　　制御部
１１　　液晶モニタ
１２　　操作ボタン
１３　　スピーカ
１４　　マイク
１５　　ファン
１６　　スリット
１８　　通信部
２１，２８　　音声レベル監視部
２２　　音声レベルしきい値計算部
２３，３３　　ファン駆動制御部
２４，３４　　ファン駆動要求出力部
３１，３８　　キーワード監視部
【図１】
2004135224.tif 000003
【図２】
2004135224.tif 000004
【図３】
2004135224.tif 000005
【図４】
2004135224.tif 000006
【図５】
2004135224.tif 000007
【図６】
2004135224.tif 000008
【図７】
2004135224.tif 000009
【図８】
2004135224.tif 000010
【図９】
2004135224.tif 000011
【図１０】
2004135224.tif 000012